(57)【要約】【課題】媒体情報に媒体の属性情報などを含めて媒体を管理する。【解決手段】光ディスクより読み出した媒体情報ＵＩＤを管理用サーバ側に送信し、管理用サーバ側で媒体情報を解析して、その内容に応じて管理用サーバ側に用意された情報をユーザ側に提供する。ユーザが要求するときは記録情報を復号するための鍵情報を提供したり、ユーザが希望する情報のみをダウンロードしたり、場合によってはボーナスコンテンツを提供する。これによって、記録媒体の管理をこの媒体情報のみで管理できるようになり、また媒体情報を利用すれば記録媒体をカスタマイズ化することもできる。【選択図】　　　　図１２
2004087063.tif 000002
【特許請求の範囲】
【請求項１】
データ記録媒体であって、このデータ記録媒体に記録媒体固有の媒体識別情報と、この記録媒体に関連した関連情報とからなる媒体情報が記録されたことを特徴とするデータ記録媒体。
【請求項２】
上記データ記録媒体は、光ディスクであることを特徴とする請求項１記載のデータ記録媒体。
【請求項３】
上記媒体情報は、この媒体情報に対する管理用サーバ側で認証できる情報であることを特徴とする請求項１記載のデータ記録媒体。
【請求項４】
上記関連情報は、データ記録媒体の種別および又は属性情報を含むことを特徴とする請求項１記載のデータ記録媒体。
【請求項５】
上記属性情報は、上記データ記録媒体に記録される、又は記録されるべき情報の利用方法および又はサービス方法を示す情報であることを特徴とする請求項４記載のデータ記録媒体。
【請求項６】
上記利用方法および又はサービス方法を示す情報は、上記データ記録媒体の管理用サーバに蓄積された情報を利用するときに使用されることを特徴とする請求項５記載のデータ記録媒体。
【請求項７】
上記データ記録媒体は、プレス工程によって作成されたデータ記録済みの媒体であり、
この記録済みの媒体に記録された上記関連情報には、この記録媒体に記録された情報を選択する再生可能範囲を示す情報が含まれることを特徴とする請求項１記載のデータ記録媒体。
【請求項８】
上記媒体情報は、プログラムエリア、リードインエリア又はリードアウトエリアの何れかのエリアに記録されたことを特徴とする請求項７記載のデータ記録媒体。
【請求項９】
上記データ記録媒体は、記録可能な媒体であり、
この記録媒体に記録された関連情報に含まれる属性情報には、ダウンロードすべき情報の利用方法やサービス方法を示す情報が含まれることを特徴とする請求項１記載のデータ記録媒体。
【請求項１０】
上記データ記録媒体が記録可能な媒体であるとき、
ユーザがデータ記録可能なエリア以外のエリアに上記媒体情報が記録されることを特徴とする請求項９記載のデータ記録媒体。
【請求項１１】
データ記録媒体に対する媒体情報の記録方法であって、
上記データ記録媒体がプレス工程によって作成されたデータ記録済みの媒体であるとき、
上記データを記録した後、高出力レーザを用いてその記録媒体に関する媒体情報が記録されることを特徴とする媒体情報記録方法。
【請求項１２】
上記媒体情報は、記録媒体固有の媒体識別情報と、この記録媒体に関連した関連情報とで構成されることを特徴とする請求項１１記載の媒体情報記録方法。
【請求項１３】
上記データ記録媒体は、光ディスクであることを特徴とする請求項１１記載の媒体情報記録方法。
【請求項１４】
上記媒体情報は、この媒体情報に対する管理用サーバ側で認証できる情報であることを特徴とする請求項１１記載の媒体情報記録方法。
【請求項１５】
上記関連情報は、データ記録媒体の種別および又は属性情報を含むことを特徴とする請求項１１記載の媒体情報記録方法。
【請求項１６】
上記属性情報は、上記データ記録媒体に記録される、又は記録されるべき情報の利用方法および又はサービス方法を示す情報であることを特徴とする請求項１５記載の媒体情報記録方法。
【請求項１７】
上記利用方法および又はサービス方法を示す情報は、上記データ記録媒体の管理用サーバに蓄積された情報を利用するときに使用されることを特徴とする請求項１６記載の媒体情報記録方法。
【請求項１８】
上記媒体情報は、プログラムエリア、リードインエリア又はリードアウトエリアの何れかのエリアであって無変調信号部に記録されたことを特徴とする請求項１１記載の媒体情報記録方法。
【請求項１９】
データ記録媒体に対する媒体情報の記録方法であって、
上記データ記録媒体は記録可能な媒体であって、
ユーザがデータを記録できないエリアではあるが再生できるエリアに、レーザを用いて上記媒体情報が記録されることを特徴とする媒体情報記録方法。
【請求項２０】
上記媒体情報は、記録媒体固有の媒体識別情報と、この記録媒体に関連した関連情報とで構成されることを特徴とする請求項１９記載の媒体情報記録方法。
【請求項２１】
上記データ記録媒体は、光ディスクであることを特徴とする請求項１９記載の媒体情報記録方法。
【請求項２２】
上記媒体情報は、この媒体情報に対する管理用サーバ側で認証できる情報であることを特徴とする請求項１９記載の媒体情報記録方法。
【請求項２３】
上記関連情報は、データ記録媒体の種別および又は属性情報を含むことを特徴とする請求項１９記載の媒体情報記録方法。
【請求項２４】
上記属性情報は、上記データ記録媒体に記録される、又は記録されるべき情報の利用方法および又はサービス方法を示す情報であることを特徴とする請求項２３記載の媒体情報記録方法。
【請求項２５】
上記利用方法および又はサービス方法を示す情報は、上記データ記録媒体の管理用サーバに蓄積された情報を利用するときに使用されることを特徴とする請求項２４記載の媒体情報記録方法。
【請求項２６】
上記データを記録できないエリアは、リードインエリアの内側に設けられたプログラムメモリエリアであることを特徴とする請求項１９記載の媒体情報記録方法。
【請求項２７】
データを所定のフォーマットの変調信号に変換し、変換したこの変調信号に基づいて記録された媒体原盤より記録済み媒体を作成する成形装置と、
上記記録済み媒体固有の媒体情報をストアした記憶手段と、
上記記憶手段より読み出した複数の媒体情報を所定のフォーマットで変調した複数の変調信号を上記記録済み媒体に追記する追記手段とを備えたことを特徴とする媒体情報記録装置。
【請求項２８】
上記追記手段は、情報書き込み手段として高出力レーザを備えることを特徴とする請求項２７記載の媒体情報記録装置。
【請求項２９】
上記媒体情報は、記録媒体固有の媒体識別情報と、この記録媒体に関連した関連情報とで構成されることを特徴とする請求項２７記載の媒体情報記録装置。
【請求項３０】
上記データ記録媒体は、光ディスクであることを特徴とする請求項２７記載の媒体情報記録装置。
【請求項３１】
上記媒体情報は、この媒体情報に対する管理用サーバ側で認証できる情報であることを特徴とする請求項２７記載の媒体情報記録装置。
【請求項３２】
上記関連情報は、データ記録媒体の種別および又は属性情報を含むことを特徴とする請求項２７記載の媒体情報記録装置。
【請求項３３】
上記属性情報は、上記データ記録媒体に記録される、又は記録されるべき情報の利用方法および又はサービス方法を示す情報であることを特徴とする請求項３２記載の媒体情報記録装置。
【請求項３４】
上記利用方法および又はサービス方法を示す情報は、上記データ記録媒体の管理用サーバに蓄積された情報を利用するときに使用されることを特徴とする請求項３３記載の媒体情報記録装置。
【請求項３５】
上記媒体情報は、プログラムエリア、リードインエリア又はリードアウトエリアの何れかのエリアに記録されたことを特徴とする請求項２７記載の媒体情報記録装置。
【請求項３６】
媒体情報管理用サーバに蓄積された情報を取得するために使用される媒体固有の媒体情報が記録されたデータ記録媒体より、上記媒体情報を読み出し、
読み出した上記媒体情報を上記媒体情報に対する管理用サーバに送信し、
上記媒体情報を認識して対応する情報を上記管理用サーバから取得するようにしたことを特徴とする媒体情報再生方法。
【請求項３７】
上記データ記録媒体は、光ディスクであることを特徴とする請求項３６記載の媒体情報再生方法。
【請求項３８】
上記媒体情報は、この媒体情報に対する管理用サーバ側で認証できる情報であることを特徴とする請求項３６記載の媒体情報再生方法。
【請求項３９】
上記媒体情報は、記録媒体固有の媒体識別情報と、この記録媒体に関連した関連情報とで構成されることを特徴とする請求項３６記載の媒体情報再生方法。
【請求項４０】
上記関連情報は、データ記録媒体の種別および又は属性情報を含むことを特徴とする請求項３６記載の媒体情報再生方法。
【請求項４１】
上記属性情報は、上記データ記録媒体に記録される、又は記録されるべき情報の利用方法および又はサービス方法を示す情報であることを特徴とする請求項４０記載の媒体情報再生方法。
【請求項４２】
上記利用方法および又はサービス方法を示す情報は、上記データ記録媒体の管理用サーバに蓄積された情報を利用するときに使用されることを特徴とする請求項４１記載の媒体情報再生方法。
【請求項４３】
上記データ記録媒体よりＴＯＣ情報を再生し、再生したこのＴＯＣ情報より上記媒体情報を抽出することを特徴とする請求項３６記載の媒体情報再生方法。
【請求項４４】
上記記録済み媒体は、光ディスクであることを特徴とする請求項３６記載の媒体情報再生方法。
【請求項４５】
上記媒体情報は、プログラムエリア、リードインエリア又はリードアウトエリア、プログラムメモリエリアの何れかのエリアに記録されたことを特徴とする請求項３６記載の媒体情報再生方法。
【請求項４６】
データ記録媒体に対する再生処理手段と、
データ再生信号よりＴＯＣ情報を抽出するＴＯＣ情報抽出手段と、
上記再生処理手段より得られる再生信号中より上記データ記録媒体固有の媒体情報を抽出する媒体情報抽出手段と、
送受信機能を有する制御手段とを有し、
上記媒体情報抽出手段より抽出された媒体情報を用いて媒体情報の管理用サーバに蓄積されたサービスコンテンツを享受するようにしたことを特徴とする媒体情報再生装置。
【請求項４７】
上記データ記録媒体は、光ディスクであることを特徴とする請求項４６記載の媒体情報再生装置。
【請求項４８】
上記媒体情報は、この媒体情報に対する管理用サーバ側で認証できる情報であることを特徴とする請求項４６記載の媒体情報再生装置。
【請求項４９】
上記媒体情報は、記録媒体固有の媒体識別情報と、この記録媒体に関連した関連情報とで構成されることを特徴とする請求項４６記載の媒体情報再生装置。
【請求項５０】
上記関連情報は、データ記録媒体の種別および又は属性情報を含むことを特徴とする請求項４６記載の媒体情報再生装置。
【請求項５１】
上記属性情報は、上記データ記録媒体に記録される、又は記録されるべき情報の利用方法および又はサービス方法を示す情報であることを特徴とする請求項５０記載の媒体情報再生装置。
【請求項５２】
上記利用方法および又はサービス方法を示す情報は、上記データ記録媒体の管理用サーバに蓄積された情報を利用するときに使用されることを特徴とする請求項５１記載の媒体情報再生装置。
【請求項５３】
上記データ記録媒体よりＴＯＣ情報を再生し、再生したこのＴＯＣ情報より上記媒体情報を抽出することを特徴とする請求項４６記載の媒体情報再生装置。
【請求項５４】
上記媒体情報は、プログラムエリア、リードインエリア又はリードアウトエリア、プログラムメモリエリアの何れかのエリアに記録されたことを特徴とする請求項４６記載の媒体情報再生装置。
【請求項５５】
データ記録媒体に記録された媒体固有の媒体情報を用いて媒体情報の管理用サーバ側に蓄積された情報を取得する情報サービス方法であって、
媒体情報再生装置側と媒体情報管理用サーバ側とが通信回線網によって結ばれ、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した媒体情報に対応した情報を上記媒体情報再生装置側に提供するようにしたことを特徴とする情報サービス方法。
【請求項５６】
上記媒体情報は、記録媒体固有の媒体識別情報と、この記録媒体に関連した関連情報とで構成されることを特徴とする請求項５５記載の情報サービス方法。
【請求項５７】
上記関連情報は、データ記録媒体の種別および又は属性情報を含むことを特徴とする請求項５５記載の情報サービス方法。
【請求項５８】
上記属性情報は、上記データ記録媒体に記録される、又は記録されるべき情報の利用方法および又はサービス方法を示す情報であることを特徴とする請求項５７記載の情報サービス方法。
【請求項５９】
上記データ記録媒体に記録された情報が暗号化された情報であって、受信した上記媒体情報に上記記録情報のうち再生可能範囲を示す情報が含まれているときには、
上記データ記録媒体に記録された情報を復号するための特定の鍵情報を上記媒体情報再生装置側に送信するようにしたことを特徴とする請求項５５記載の情報サービス方法。
【請求項６０】
上記鍵情報は、上記データ記録媒体に記録された情報を復号する復号キーそのものか、又はこの鍵情報を用いて上記復号キーを生成するためのものであることを特徴とする請求項５５記載の情報サービス方法。
【請求項６１】
上記鍵情報は、上記データ記録媒体に記録された選択可能な情報に拘わらず同一か、又は上記選択可能な情報によって異なることを特徴とする請求項５５記載の情報サービス方法。
【請求項６２】
受信した上記媒体情報に、属性情報がふくまれ、この属性情報がサービス対象群を指定するものであるときには、当該サービス対象群に該当する情報を上記媒体情報再生装置側に送信するようにしたことを特徴とする請求項５５記載の情報サービス方法。
【請求項６３】
上記属性情報に、ユーザに提供すべき特別なサービス情報が含まれているときには、当該サービス情報を上記媒体情報再生装置側に送信するようにしたことを特徴とする請求項６２記載の情報サービス方法。
【請求項６４】
上記媒体情報に、上記データ記録媒体の種別を示す情報が含まれているときには、当該情報をユーザが再生した記録媒体との照合用に使用するようにしたことを特徴とする請求項５５記載の情報サービス方法。
【請求項６５】
データ記録媒体に記録された媒体固有の媒体情報を用いて媒体情報の管理用サーバ側に蓄積された情報を提供する情報サービスシステムであって、
通信回線網によって結ばれた媒体情報再生装置と媒体情報管理用サーバとを有し、
上記媒体情報再生装置側では、データ記録媒体を再生して、このデータ記録媒体に記録された媒体固有の複数の媒体情報を保存すると共に、この媒体情報を送信し、サービスコンテンツを受信できる送受信手段を有し、
上記媒体情報管理用サーバ側では、提供すべき複数の情報を蓄積したサービス情報用データベースと、管理用データベースを有し、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した上記媒体情報に対応した情報を上記媒体情報再生装置側に提供するようにしたことを特徴とする情報サービスシステム。
【請求項６６】
上記媒体情報は、記録媒体固有の媒体識別情報と、この記録媒体に関連した関連情報とで構成されることを特徴とする請求項６５記載の情報サービスシステム。
【請求項６７】
上記関連情報は、データ記録媒体の種別および又は属性情報を含むことを特徴とする請求項６５記載の情報サービスシステム。
【請求項６８】
上記属性情報は、上記データ記録媒体に記録される、又は記録されるべき情報の利用方法および又はサービス方法を示す情報であることを特徴とする請求項６７記載の情報サービスシステム。
【請求項６９】
上記データ記録媒体に記録された情報が暗号化された情報であって、受信した上記媒体情報に上記記録情報のうち再生可能範囲を示す情報が含まれているときには、
上記データ記録媒体に記録された情報を復号するための特定の鍵情報を、上記管理用データベースから読み出して上記媒体情報再生装置側に送信するようにしたことを特徴とする請求項６５記載の情報サービスシステム。
【請求項７０】
上記鍵情報は、上記データ記録媒体に記録された情報を復号する復号キーそのものか、又はこの鍵情報を用いて上記復号キーを生成するためのものであることを特徴とする請求項６５記載の情報サービスシステム。
【請求項７１】
上記鍵情報は、上記データ記録媒体に記録された選択可能な情報に拘わらず同一か、又は上記選択可能な情報によって異なることを特徴とする請求項６５記載の情報サービスシステム。
【請求項７２】
受信した上記媒体情報に、属性情報がふくまれ、この属性情報がサービス対象群を指定するものであるときには、当該サービス対象群に該当する情報を、上記サービス情報用のデータベースより読み出し、読み出したこのサービス情報を上記媒体情報再生装置側に送信するようにしたことを特徴とする請求項６５記載の情報サービスシステム。
【請求項７３】
上記属性情報に、ユーザに提供すべき特別なサービス情報が含まれているときには、当該サービス情報を上記サービス情報データベースより読み出し、これを上記媒体情報再生装置側に送信するようにしたことを特徴とする構成７２記載の情報サービスシステム。
【請求項７４】
上記媒体情報に、上記データ記録媒体の種別を示す情報が含まれているときには、当該情報をユーザが再生した記録媒体との照合用に使用するようにしたことを特徴とする請求項６５記載の情報サービスシステム。
【発明の詳細な説明】
【０００１】
【発明の属する技術分野】
この発明は、データ記録媒体、媒体情報記録方法、媒体情報記録装置、媒体情報再生方法、媒体情報再生装置、情報サービス方法および情報サービスシステムに関する。
【０００２】
詳しくは、記録媒体自体を識別するための媒体識別情報の他に、その記録媒体の種別や、属性情報などその記録媒体に関連した関連情報を記録しておくことで、記録媒体に記録された情報を再生するための鍵情報を取得したり、特定のサービス機関にアクセスして認証されたときにはその媒体情報に見合ったサービスを享受できるようにしたものである。
【０００３】
【従来の技術】
コンパクトディスク（ＣＤ）や、デジタル多用途ディスク（ＤＶＤ）などの記録済みあるいは記録可能な記録媒体などには、その記録媒体固有の識別情報（ＩＤ）を記録することが考えられている。この識別情報を記録しておくことによって、その記録媒体が真正な記録媒体か、不正コピーされた記録媒体かを判別する識別子として使用することができる。
【０００４】
しかし媒体識別情報の他に情報を付加できれば、付加した情報（以下関連情報という）を用いて様々なその記録媒体固有のサービスを実現できる。つまり、媒体識別情報に関連情報を加えた媒体情報は各種サービスを享受するための識別子としても使用することができる。
【０００５】
各種サービスとは、例えばデータ記録媒体に記録された情報が暗号化された情報であるときには、その復号化のための鍵情報を媒体情報を管理する管理用サーバから取得できるようにする。これはデータ記録媒体に情報を暗号化して記録する場合でも、その解読のための鍵情報（復号キーなど）を、同じデータ記録媒体に記録しておくと、データ記録媒体を不正コピーされたとき、暗号化情報をその鍵情報を用いて解読されるおそれがあるからである。暗号化情報に対する鍵情報をデータ記録媒体とは別に保管しておくことで、このような不正使用を排除できる。
【０００６】
あるいは、データ記録媒体の種別を示す情報を関連情報として付加しておくと、このデータ記録媒体から情報をコピーした媒体が、本来の媒体の種別と相違する場合、コピーした媒体は不正にコピーしたものと考えられ、これによって著作権の保護にもつながることになる。
【０００７】
この関連情報があると、さらに記録された情報あるいは記録すべき情報に関連した情報（コンテンツ）であって、音楽情報、音楽情報に関連したアーティストなどの情報、映像情報（静止画、動画）、場合によってはコンピュータで使用するプログラムデータなどのディジタル情報を取得することもできる。
【０００８】
【発明が解決しようとする課題】
ところで、各種サービスを享受する識別子の１つの機能としてこの媒体情報を位置づけたときには、このデータ記録媒体を再生できる情報端末装置を用いて例えば特定のサービス機関にアクセスすると共に、この媒体情報に基づいて認証情報として使用すれば、特定のサービスを享受するような情報サービスシステムを構築することができる。
【０００９】
しかし、従来ではデータ記録媒体に記録しようとする媒体情報は、その媒体自体を識別するための識別子として位置づけていたため、多様なサービスを実現できなかった。例えば、プレス工程によって情報を記録した記録済みのデータ記録媒体（ＣＤ−ＲＯＭ、ＤＶＤ−ＲＯＭなど）の場合を例示すると、このデータ記録媒体に多数曲例えば１０００曲分収録しておき、その収録曲に対して予め販売曲数が１０曲分であるときには１０曲分を再生可能範囲を示す情報（タイトル情報）として媒体情報に付加しておく。１００曲分であるときには、１０００曲のうち１００曲分が再生できることを示す再生可能範囲を示す情報を媒体情報に付加しておく。
【００１０】
このようにデータ記録媒体に収録された曲数、曲目は同じでも、その媒体に記録された媒体情報のみを異ならせておけば、再生可能曲数に応じた価格の設定が可能になると共に、ユーザの求めに応じた曲数のみを提供できる。その際、データ記録媒体に記録された情報が暗号化情報（暗号文）であるとき、それを復号（解読）するための鍵情報を、データ記録媒体を管理する管理用サーバ側に用意しておき、正当な購入者の認証を得たユーザにのみ、この鍵情報を提供するようにすれば、不正な第三者は暗号化情報を復号できなくなるため、この媒体情報をコピープロテクション用としても機能させることができる。
【００１１】
あるいは、ＣＤ−Ｒ，ＣＤ−ＲＷのような追記型や書き替え型などの記録可能な媒体の場合で、記録すべき情報を上述した管理用サーバ側に用意された情報（コンテンツ）を利用するようなときには、ダウンロードすべき情報量に応じた価格を設定できると共に、ダウンロードすべき曲目や曲数がそれぞれグループ化されて収録された複数のサービス対象群のうち、どのサービス対象群を選択できるかをそのデータ記録媒体の属性情報として予め媒体情報に挿入しておけば、ユーザは任意のタイミングに、そのデータ記録媒体に予め記録された媒体情報を提供することで、サービス対象群に属する情報をダウンロードできることになる。
【００１２】
このように媒体自体を識別する媒体識別情報の他に、そのデータ記録媒体に関連した各種の関連情報を含めた媒体情報を利用すれば、一元的ではなく、ユーザの好みにあった多様なサービスを提供できる。
【００１３】
そこで、この発明はこのような従来の課題を解決したものであって、特に媒体自体を識別する媒体識別情報の他に、そのデータ記録媒体に関連した各種の関連情報を含めた媒体情報を記録しておくことで、多様なサービスを実現できるようにした、データ記録媒体、媒体情報記録方法、情報サービスシステム等を提案するものである。
【００１４】
【課題を解決するための手段】
上述の課題を解決するため、請求項１に記載したこの発明に係るデータ記録媒体では、データ記録媒体であって、このデータ記録媒体に記録媒体固有の媒体識別情報と、この記録媒体に関連した関連情報とからなる媒体情報が記録されたことを特徴とする。
【００１５】
請求項１１に記載したこの発明に係る媒体情報記録方法は、データ記録媒体に対する媒体情報の記録方法であって、
上記データ記録媒体がプレス工程によって作成されたデータ記録済みの媒体であるとき、
上記データを記録した後、高出力レーザを用いてその記録媒体に関する媒体情報が記録されることを特徴とする。
【００１６】
請求項１９に記載されたこの発明に係る媒体情報記録方法は、データ記録媒体に対する媒体情報の記録方法であって、
上記データ記録媒体は記録可能な媒体であって、
ユーザがデータを記録できないエリアではあるが再生できるエリアに、レーザを用いて上記媒体情報が記録されることを特徴とする。
【００１７】
請求項２７に記載したこの発明に係る媒体情報記録装置では、データを所定のフォーマットの変調信号に変換し、変換したこの変調信号に基づいて記録された媒体原盤より記録済み媒体を作成する成形装置と、
上記記録済み媒体固有の媒体情報をストアした記憶手段と、
上記記憶手段より読み出した複数の媒体情報を所定のフォーマットで変調した複数の変調信号を上記記録済み媒体に追記する追記手段とを備えたことを特徴とする。
【００１８】
請求項３６に記載したこの発明に係る媒体情報サービス方法では、媒体情報管理用サーバに蓄積された情報を取得するために使用される媒体固有の媒体情報が記録されたデータ記録媒体より、上記媒体情報を読み出し、
読み出した上記媒体情報を上記媒体情報に対する管理用サーバに送信し、
上記媒体情報を認識して対応する情報を上記管理用サーバから取得するようにしたことを特徴とする。
【００１９】
請求項４６に記載したこの発明に係る媒体情報再生装置では、データ記録媒体に対する再生処理手段と、
データ再生信号よりＴＯＣ情報を抽出するＴＯＣ情報抽出手段と、
上記再生処理手段より得られる再生信号中より上記データ記録媒体固有の媒体情報を抽出する媒体情報抽出手段と、
送受信機能を有する制御手段とを有し、
上記媒体情報抽出手段より抽出された媒体情報を用いて媒体情報の管理用サーバに蓄積されたサービスコンテンツを享受するようにしたことを特徴とする。
【００２０】
請求項５５に記載したこの発明に係る情報サービス方法は、データ記録媒体に記録された媒体固有の媒体情報を用いて媒体情報の管理用サーバ側に蓄積された情報を取得する情報サービス方法であって、
媒体情報再生装置側と媒体情報管理用サーバ側とが通信回線網によって結ばれ、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した媒体情報に対応した情報を上記媒体情報再生装置側に提供するようにしたことを特徴とする。
【００２１】
請求項６５に記載したこの発明に係る情報サービスシステムは、データ記録媒体に記録された媒体固有の媒体情報を用いて媒体情報の管理用サーバ側に蓄積された情報を提供する情報サービスシステムであって、
通信回線網によって結ばれた媒体情報再生装置と媒体情報管理用サーバとを有し、
上記媒体情報再生装置側では、データ記録媒体を再生して、このデータ記録媒体に記録された媒体固有の複数の媒体情報を保存すると共に、この媒体情報を送信し、サービスコンテンツを受信できる送受信手段を有し、
上記媒体情報管理用サーバ側では、提供すべき複数の情報を蓄積したサービス情報用データベースと、管理用データベースを有し、
上記媒体情報再生装置側では、上記データ記録媒体より媒体情報を読み出し、読み出した媒体情報を上記通信回線網を介して上記媒体情報管理用サーバ側に送信し、
上記媒体情報管理用サーバ側では、受信した上記媒体情報に対応した情報を上記媒体情報再生装置側に提供するようにしたことを特徴とする
データ記録媒体であって、このデータ記録媒体に記録媒体固有の媒体情報が複数記録されたことを特徴とする。
【００２２】
この発明では、データ記録媒体が記録済みの媒体か、記録可能な未記録媒体かを問わず、その媒体固有の媒体情報（ＵＩＤ）を記録する。媒体情報ＵＩＤは媒体固有の媒体識別情報の他に、その媒体に関連した関連情報を含むものであり、媒体識別情報は所定桁数のシリアル番号である。関連情報としてこの例では、再生可能なタイトル情報、媒体の属性情報および媒体の種別を例示するが、その媒体が記録済み記録媒体か、記録可能な記録媒体かによって若干その構成を異ならせることも可能である。
【００２３】
記録済みの記録媒体であるときには、記録された情報が音楽データで、しかもそれが暗号化されているようなときに威力を発揮する。そのような場合を想定して、関連情報が構築されるものであり、その場合には予め媒体購入価格に応じた再生可能な曲数が設定され、その再生可能曲数が再生可能なタイトル情報として関連情報に挿入される。
【００２４】
暗号化されているときには、媒体情報を管理する管理用サーバ側に暗号化を解くための鍵情報が用意されている。鍵情報は暗号化情報を復号する復号キーか、若しくはこの復号キーを生成するための鍵情報である。再生可能曲数によって異なる鍵情報を提供することもできる。鍵情報を提供すべき媒体であるかどうかは、媒体の種別を認識することで実現できる。
【００２５】
未記録媒体であって、予めこれに記録すべき情報（音楽データなど）が予約されているようなときに好適である。このようなときには、実際に媒体を購入したときの価格に応じてダウンロードできるサービス対象群（同じ曲数でも曲目が相違する複数の群）が、関連情報のうち属性情報として挿入される。どのサービス対象群を選択するかは媒体購入時に選択することになる。さらに、媒体購入者に特別なサービスを提供することもできる。この場合にはボーナスコンテンツを提供するか否かを示す情報が属性情報の１つとして挿入される。
【００２６】
媒体情報の記録場所は、再生はできるが、再書き込みができない任意のエリアであって、記録済みのデータ記録媒体であるときには、データが記録された記録済みエリア（プログラムエリア）、リードインエリア、リードアウトエリアのうち、少なくとも１つのエリアに、本来のデータを記録した後の工程で例えば高出力レーザなどを用いて記録される。記録可能なデータ記録媒体ではリードインエリアよりも内周側に設けられたプログラムメモリエリア（ＰＭＡ）にレーザなどを用いて記録される。
【００２７】
媒体情報ＵＩＤをプログラムメモリエリア以外に記録する場合には、どのアドレスに記録したかを示す情報として、リードインエリアにＴＯＣ（Ｔａｂｌｅ　ｏｆ　Ｃｏｎｔｅｎｔｓ）情報の１つとして記録される。
【００２８】
データ記録媒体の再生時には、原則としてＴＯＣ情報を参照して複数の媒体情報ＵＩＤが読み出される。読み出した媒体情報ＵＩＤは保存され、そして必要なタイミングのときに通信回線網（インターネットなど）を介して、サービス機関であるこの例では媒体情報の管理用サーバ（Ｗｅｂサイト）にアクセスされる。
【００２９】
読み出した媒体情報ＵＩＤを送信することで、管理用サーバ側ではデータ記録媒体に記録されていた媒体情報ＵＩＤの内容を把握できるから、どのような情報をユーザ側に送信すべきかを決定できる。
【００３０】
管理用サーバ側には媒体情報管理用データベースがあり、ここには予めユーザの媒体情報であるパスワードなどが管理されると共に、アクセスされたデータ記録媒体ごとに管理情報（媒体情報）が保存される。
【００３１】
必要に応じて特別なサービス（スペシャルサービス）を提供することもできる。これによって再度の購入を期待できる。
【００３２】
このように媒体情報ＵＩＤを記録したデータ記録媒体を使用して情報サービスシステムを構築すれば、この媒体情報ＵＩＤに則ったサービスをユーザに提供できる。換言すれば複数の媒体情報ＵＩＤをデータ記録媒体に記録しておくだけで有限のサービスシステムを構築できる。これによってユーザの購買意欲を刺激できると共に、さらにスペシャルサービスを用意することで一層の効果を期待できる。
【００３３】
【発明の実施の形態】
続いて、この発明に係るデータ記録媒体を始めとして、媒体情報記録方法などの一実施形態を図面を参照して詳細に説明する。
【００３４】
図１はこの発明に係る書き込み可能な記録媒体であるディスク状のデータ記録媒体１０の実施の形態を示す。この記録媒体１０は、主記録領域１４と、補助記録領域１６，１８とを有し、主記録領域１４は情報端末装置（図示はしない）より書き込みができる領域となされ、補助記録領域１６，１８は情報端末装置側より書き込みができない領域となされた書き込み可能なデータ記録媒体である。
【００３５】
補助記録領域１６，１８のうち最内周に属する領域１８には媒体情報などが記録され、主記録領域１４には本来のデータ（特定のコンテンツ）が記録される。
【００３６】
この書き込み可能な記録媒体としては、コンパクトディスクＣＤであれば追記型のＣＤ−Ｒ、書き換え型のＣＤ−ＲＷなどがその代表的な例である。デジタル多用途ディスクＤＶＤであれば、同じく追記型のＤＶＤ−Ｒ、書き換えができるＤＶＤ−ＲＷなどがその代表例である。
【００３７】
光ディスク１０はその基本的な構造は周知のように、最外周にリードアウトエリア１２が位置し、その内側にコンテンツ記録エリアであるプログラムエリア（ＰＡ）１４が存在する。このプログラムエリア１４が主記録領域に相当する。プログラムエリア１４の内周側にはＴＯＣ情報を記録するリードインエリア１６があり、さらにその内周にプログラムメモリエリア（ＰＭＡ）１８が設けられている。このリードインエリア１６およびプログラムメモリエリア１８が補助記録領域に相当する。
【００３８】
プログラムメモリエリア１８は周知のようにコンプリート処理あるいはファイナライズ処理をする前の仮のＴＯＣ情報が記録される。プログラムメモリエリア１８に仮ＴＯＣ情報を記録してある間は、プログラムエリア１４にコンテンツを書き込むことができる。しかし、コンプリート処理すべき操作が行われると、リードインエリア１６にＴＯＣ情報が書き込まれ、以後の書き込み（記録）処理はできない。
【００３９】
図２はプレス工程でデータが記録されている記録済みのデータ記録媒体としての光ディスクを示す。この光ディスク１０はデータが記録されている主記録領域であるプログラムエリア１４、その外周側にあるリードアウトエリア１２および内周側にあるリードインエリア１６で構成される。この記録済み記録媒体としてはＣＤ−ＲＯＭ，ＤＶＤ−ＲＯＭなどがその代表的な光ディスクである。
【００４０】
これら図１あるいは図２に示すデータ記録媒体１０に対して、媒体情報ＵＩＤが記録される。媒体情報ＵＩＤは特定の管理用サーバにアクセスしたとき、媒体の認証や、認証を行った後に管理用サーバに蓄積された情報（サービスコンテンツ）を取得するためのものである。データ記録媒体１０を正規に購入した人のために与えるサービスの一種としても利用される。
【００４１】
この発明では、データ記録媒体が記録済みの媒体か、記録可能な未記録媒体かを問わず、その媒体固有の媒体情報（ＵＩＤ）を記録する。媒体情報ＵＩＤは媒体固有の媒体識別情報の他に、その媒体に関連した関連情報を含む。
【００４２】
図３はその具体例である。先頭に媒体識別情報として機能するシリアル番号が位置する。媒体識別情報はその媒体固有の情報であって、所定桁数のシリアル番号が利用される。この媒体識別情報で記録媒体そのものの識別が行われる。
【００４３】
シリアル番号の次に関連情報が位置する。関連情報としてこの例では、図示するように再生可能なタイトル情報、媒体の属性情報および媒体の種別を例示する。最後に誤り訂正のためのコード例えばＥＣＣ（Ｅｒｒｏｒ　Ｃｏｒｒｅｃｔｉｎｇ　Ｃｏｄｅ）が付加される。情報の配列順序は特に問わない。関連情報の構成は、その記録媒体が記録済み記録媒体か、記録可能な記録媒体かによって若干その構成が異ならせることも可能である。
【００４４】
記録済みの記録媒体であるときには、記録された情報が音楽データで、しかもそれが暗号化されているようなときに威力を発揮する。そのような場合を想定して、関連情報が構築されるものであり、その場合には予め媒体購入価格に応じた再生可能な曲数が設定され、その再生可能曲数が再生可能なタイトル情報として関連情報に挿入される。
【００４５】
図４は再生可能なタイトル情報の具体例であって、この例ではコード情報によって再生可能なタイトル情報、つまり再生可能曲数が対応付けられる。例えば８ビットを使用すると、２５６通りの再生可能曲数の組み合わせができる。再生可能曲数は、換言すればプリペイド曲数であって、媒体購入価格に応じた１つのコード情報が記録される。例えば１０曲分購入したときには、「０００００００１」なるコード情報が、再生可能なタイトル情報欄に記録された記録媒体を購入することになり、３０曲分を購入したときには「００００００１１」なるコード情報が記録された記録媒体を購入したことになる。
【００４６】
ここで、図４に示すように、８ビットのうちオール「０」は、プリペイドされた曲数がゼロを表している。したがってこの記録媒体は一応未記録記録媒体であることが判る。
【００４７】
記録情報が暗号化されているときには、媒体情報を管理する管理用サーバ（後述するＷｅｂサイト）側に暗号化を解くための鍵情報が用意されている。図４にはこの鍵情報も同時に図示してある。鍵情報は暗号化情報を復号する復号キーか、若しくはこの復号キーを生成するための鍵情報である。暗号化は共通鍵方式や、公開鍵方式などを利用できる。
【００４８】
また、図４のように通常は再生可能曲数が異なっても鍵情報としては同じ鍵情報Ｚがユーザ側に提供される。しかし、場合によっては再生可能曲数ごとに異なる鍵情報Ａ，Ｂ，Ｃ，・・・・Ｎをユーザ側に提供することもできる。鍵情報を提供すべき媒体であるかどうかは、後述する記録媒体の種別を参照することで判別できる。
【００４９】
図５は関連情報を構成する属性情報の一例を示す内容である。属性情報はデータ記録媒体に記録される、又は記録されるべき情報に関するサービス方法や使用方法を示す情報であって、これらはコード情報によって表されている。
【００５０】
例えば、データ記録媒体が追記型あるいは書き換え型の記録可能な記録媒体で、上述した管理用サーバに蓄積された音楽データなどの情報をダウンロードするように予め関連付けられたデータ記録媒体を購入した場合には、ダウンロードできる情報が属性情報として記録されている。したがって、ユーザは予めどのような情報をダウンロードすべきかを、記録媒体を購入するときに決めることになる。図５に示す例は、管理用サーバ側に蓄積された情報のうち音楽データをサービス情報としてダウンロードする具体例あって、この実施の形態では例えば４ビットのコード情報によって、
（ａ）属性情報なし。
（ｂ）管理用サーバ側で指定した曲目をダウンロードする。
（ｃ）グループ化されたサービス対象曲ＧＰａをダウンロードする。
（ｄ）グループ化されたサービス対象曲ＧＰｂをダウンロードする。
（ｅ）グループ化されたサービス対象曲ＧＰｃをダウンロードする。
のように区別されている。
【００５１】
ここに、属性情報が挿入されていないときもある。プレス工程で情報が記録されているような記録媒体の場合である。対象曲ＧＰの曲数は媒体価格に依存するもので、曲目は予め管理用サーバ側で指定したものである。したがって、サービス対象曲ＧＰａ、ＧＰｂおよびＧＰｃはダウンロードできる曲数は同じであるが、何れも違った曲目となるように選曲されている。
【００５２】
ユーザは、何れの属性情報を選択するか媒体購入時に指定し、購入した媒体には指定したその属性情報を表すコード情報のみが挿入されている。
【００５３】
図５に示す実施の形態では、属性情報としてさらにサービスコンテンツを享受できるかできないかを示す情報が含まれている。コード情報の最上位ビットが「０」であるときは、サービスコンテンツを享受する資格がなく、最上位ビットが「１」であるときのみ、サービスコンテンツを享受する資格を有する。
【００５４】
ここに、サービスコンテンツとは、例えば規定以上の販売価格の記録媒体を購入した場合に与えられる特典であって、管理用サーバ側が用意した情報である。サービスコンテンツとしては、音楽データや、アーティストの静止画像データなどが考えられる。
【００５５】
上述した実施の形態では、記録媒体を購入した段階で、ダウンロードすべき情報（コンテンツ）が決まるような媒体情報が記録されている場合であるが、記録媒体を購入した後で、ユーザが自由に決定できるような属性情報を挿入することでもよい。この場合には、管理用サーバ側にアクセスしてダウンロードすべき情報（多数用意されたコンテンツの態様であり、そのコンテンツが音楽データであるときには、その曲数や曲目など）をユーザが自由に決めることができる。
【００５６】
この他の属性情報としては、鍵情報などが考えられる。ダウンロードする情報自体が暗号化されているときには、同時に若しくは事後に復号用の鍵情報をダウンロードする必要があるからである。
【００５７】
図６は、関連情報として記録媒体の種別を示す情報が含まれているときの例であって、プレス工程によって情報が記録されているデータ記録媒体は、「ＲＯＭ」として２ビットのコード「００」が与えられ、追記型のデータ記録媒体は、「Ｒ」としてコード「０１」が、書き換え型のデータ記録媒体は、「ＲＷ」としてコード「１０」が与えられている。また、それ以外は「ｒｅｓｅｒｖｅｄ」として２ビット「１１」が与えられている。
【００５８】
管理用サーバ側ではこの属性情報を認識することで、アクセスされたデータ記録媒体がどの種類の記録媒体であるかを判別できる。そのため、例えば記録済みのデータ記録媒体（ＲＯＭ）から情報をコピーした記録媒体、例えば追記型記録媒体（ＣＤ−Ｒなど）を用いて、管理用サーバ側にアクセスされると、追記型記録媒体自体の固有の識別情報（ＩＤ）のほかに、上述した媒体情報も同時に管理用サーバ側で把握することになるので、アクセスされた記録媒体は不正にコピーされた記録媒体である可能性が高いことが判る。この場合には管理用サーバ側から警告のメッセージを送信して、例えば管理用サーバ側で用意されたサービスを停止するようにすれば、記録媒体に対する著作権保護がより一層確実なものとなる。
【００５９】
実際にデータ記録媒体を購入する場合、その記録媒体が記録済みのデータ記録媒体であるときには、例えば図４〜図６に斜線で示すような情報が媒体情報として記録されている。またその記録媒体が記録可能なデータ記録媒体であるときには例えば図４〜図６にドット状に示すような情報が媒体情報として記録されている。
【００６０】
上述した媒体情報は一例であって、媒体情報に含まれる項目数、項目の内容、さらには管理用サーバ側に蓄積されたコンテンツの種類などは任意である。
【００６１】
媒体情報の記録場所は、再生はできるが、再書き込みができない任意のエリアであって、記録済みのデータ記録媒体であるときには、データが記録された記録済みエリア（プログラムエリア）、リードインエリア、リードアウトエリアのうち、少なくとも１つのエリアに、本来のデータを記録した後の工程で例えば高出力レーザなどを用いて記録される。記録可能なデータ記録媒体ではリードインエリアよりも内周側に設けられたプログラムメモリエリア（ＰＭＡ）にレーザなどを用いて記録される。
【００６２】
媒体情報ＵＩＤをプログラムメモリエリア以外に記録する場合には、どのアドレスに記録したかを示す情報として、リードインエリアにＴＯＣ（Ｔａｂｌｅ　ｏｆ　Ｃｏｎｔｅｎｔｓ）情報の１つとして記録される。
【００６３】
データ記録媒体の再生時には、原則としてＴＯＣ情報を参照して複数の媒体情報ＵＩＤが読み出される。読み出した媒体情報ＵＩＤは保存され、そして必要なタイミングのときに通信回線網（インターネットなど）を介して、サービス機関であるこの例では媒体情報の管理用サーバ（Ｗｅｂサイト）にアクセスされる。
【００６４】
読み出した媒体情報ＵＩＤを送信することで、管理用サーバ側ではデータ記録媒体に記録されていた媒体情報ＵＩＤの内容を把握できるから、どのような情報をユーザ側に送信すべきかを決定できる。
【００６５】
管理用サーバ側には媒体情報管理用データベースがあり、ここには予めユーザの媒体情報であるパスワードなどが管理されると共に、アクセスされたデータ記録媒体ごとに管理情報（媒体情報）が保存される。
【００６６】
さて、この発明にかかる情報サービスシステムは図７に示すように、サービスを受けるべき情報端末装置側２０と、サービスコンテンツを蓄積した媒体情報管理用サーバ（Ｗｅｂサイト）３０とがインターネットなどの通信回線網４０を介して連結されて構築される。そして、情報端末装置２０側で読み出した媒体情報ＵＩＤを管理用サーバ３０側に転送することで、その媒体情報ＵＩＤが認証されれば、その情報を解析して管理用サーバ３０側に蓄積された対応するサービスを提供する。
【００６７】
情報端末装置２０は、ディスクの再生手段（記録再生手段でもよい）とデータの送受信手段がそれぞれ設けられ、データ記録媒体である光ディスク１０より本来のデータを読み出して再生することができると共に、光ディスク１０に記録された媒体情報ＵＩＤを読み出し、読み出した媒体情報ＵＩＤを用いて特定のサービスを受けるための装置である。従って、以下説明する光ディスク１０はＣＤ−ＲＯＭなどの記録済みのデータ記録媒体を例示する。
【００６８】
図８はこの情報端末装置２０の実施の形態を示すもので、上述したように光ディスク１０を再生するディスク再生手段として機能する媒体情報再生装置５０を有する。この情報端末装置２０には装置全体の制御を司るＣＰＵからなる制御部２２を始めとして、各種データを記録し保存するための記憶手段、この例ではハードディスクからなる記憶手段２３と、外部とのデータ授受を行うデータ送受信手段（通信インタフェース）２４がバス２７に連結されている。さらに、ＬＣＤなどの表示部２５や、操作情報を入力するためのキーボードなどからなる入力手段２６がそれぞれバスを介して相互に連結されている。
【００６９】
この構成によって、光ディスク１０から媒体情報を含めたデータの再生処理を始めとして、光ディスク１０から読み出した媒体情報ＵＩＤを管理用サーバ３０側に送り、必要な情報を取得する外部とのデータ授受処理、さらには受信したデータの記憶処理などを実現している。制御部２２にはこれらの処理を実現するために必要な処理プログラムを格納したＲＯＭなどのメモリ手段（図示はしない）が内蔵されている。
【００７０】
図９は管理用サーバ３０側の実施の形態を示す。管理用サーバ３０はユーザからの媒体情報ＵＩＤを認証し、認証されたとき指定されたサービスを提供できるように構成されると共に、媒体管理などを行うための処理を行っている。
【００７１】
そのため、図９に示すようにこの管理用サーバ３０は装置全体の制御を行うＣＰＵを有する制御部３１、サービスコンテンツを蓄積したデータベース３２、光ディスク固有の媒体情報ＵＩＤや鍵情報などの各種管理情報を蓄積した管理用データベース３３が設けられる。これらの他に、外部とのデータ授受を行う送受信手段（通信インタフェース）３４、媒体情報ＵＩＤなどの情報を表示するＬＣＤなどからなる表示部３５および情報入力などのときに使用するキーボードやマウスなどの入力手段３６などで構成される。制御部３１にはこれらの処理を実現するために必要な処理プログラムを格納したＲＯＭなどのメモリ手段（図示はしない）が内蔵されている。
【００７２】
図１０はこの発明に係る媒体情報再生装置５０の実施の形態を示す要部の系統図である。
【００７３】
制御部２２からの制御信号によってサーボコントローラ５２が制御されることで、スピンドルモータ５４が回転して、光ディスク１０は線速度が一定となされた状態で、光ディスク１０からの記録情報が光ピックアップユニット５５によって読み取られる。読み取られた光信号はユニット内部で電気信号に変換された状態でＲＦアンプ５６を介して復調器５７に供給されて、情報の復調（ＥＦＭ復調）が行われる。復調出力のうちプログラムエリア１４に記録されている情報はさらに後段のエラー訂正および復号化回路５８において、エラー訂正処理および復号化処理が行われる。その後、出力処理部５９を介して再生出力情報として出力されると共に、復号出力はさらに媒体情報抽出手段６２にも供給され、復調出力のうち光ディスク１０に記録された媒体情報ＵＩＤが抽出分離される。
【００７４】
一方、ＥＦＭ復調された復調出力はＴＯＣ情報の抽出手段である読み出し手段６０にも供給されてＴＯＣ情報の抽出分離が行われる。抽出分離されたＴＯＣ情報は制御部２２に供給されて、ＴＯＣ情報より媒体情報の記録アドレスが抽出される。この記録アドレスを利用して抽出手段６２に供給された復調出力から媒体情報ＵＩＤのみが抽出分離されて、これが一時的にメモリ手段（ＲＡＭ）６３に保存される。
【００７５】
入力手段２６からの入力情報に応じてメモリ手段６３の媒体情報ＵＩＤが読み出され、読み出された媒体情報ＵＩＤが送受信手段（送受信用インタフェース）２４（図８参照）を介して管理用サーバ３０側に送信される。
【００７６】
出力処理部５９には図示はしないが復号処理機能があるものとする。光ディスク１０に記録された情報が暗号化されているときには、管理用サーバ３０側より提供された鍵情報を用いて復号処理が行われる。鍵情報は復号キーそのものであったり、場合によってはこの鍵情報を用いて正規な復号キーを生成するための情報であったり、情報サービスシステムのセキュリティーに合わせた鍵情報が提供される。
【００７７】
なお、光ディスク１０に記録された本来のデータ（映像データなど）は出力処理部５９からバス２７を介して表示部２５に供給されて映像などが再現されると共に、必要に応じて外部に出力される。復調出力が音楽であるときは、図示はしないがその復調出力は音声再生回路に供給されて音声が再生される。
【００７８】
さて、図７に示すような情報サービスシステムを構築したときの各種処理例を図１１以下を参照して説明する。図１１はこの情報サービスシステム全体の処理を説明する概略図（フローチャート）であって、媒体情報端末装置２０側では光ディスク１０を再生して媒体情報ＵＩＤを取得する。この媒体情報ＵＩＤはメモリ手段６３に保存される。媒体情報ＵＩＤは同時に表示部２５に表示することもできれば、安全性を考慮して不知とすることもできる。
【００７９】
次に、ユーザが管理用サーバ３０へのアクセス処理を行う。このときユーザ認証を行う関係で、ユーザ側からは予め管理用サーバ３０との間で取り決めたパスワードＰＷを送信する。ユーザの認証が行われると、管理用サーバ３０側からはサーバ側が取り扱うメニュー情報（サービスメニュー）が送信され、ユーザ側ではこのサービスメニューが表示される。ユーザが媒体情報ＵＩＤを使用したサブメニューを選択したときには、そのサブメニュー選択情報が管理用サーバ３０側に送信される。
【００８０】
管理用サーバ３０側では、既に送信し終えた媒体情報ＵＩＤが解析され、その解析内容に即した処理が実行される。その前提として、管理用サーバ３０側では受信した媒体情報ＵＩＤが媒体種別情報と、管理用データベース３３に蓄積された媒体ごとの管理情報を利用して正規な媒体情報であるかどうかの認証処理を行う。不正コピーされた記録媒体からのアクセスなどを排除するためである。この場合の媒体管理情報はディスク製造元やディスク販売業者から提供された媒体固有の管理情報（媒体情報と同じ情報）が利用される。
【００８１】
管理用サーバ３０側に媒体固有の管理情報が存在しないときは、媒体情報のデータ構造が正規のデータ構造であるかどうかなどをチェックすることで、真正な媒体情報か、不正に取得した媒体情報であるか、あるいは不正に模倣して作成した媒体情報かを判別することができ、真正な媒体情報であるときはこれをパスワードと共に、管理用サーバ３０側に登録する。媒体情報ＵＩＤは所定のフォーマットに則って記述されているので、この規則通りのＵＩＤであるかどうかを検証すれば、不正コピーかどうかを判断できる。
【００８２】
続いて、媒体情報に則った情報がユーザ側に送信される。媒体情報に則った情報とは、再生可能タイトル情報であるときは鍵情報が送信され、属性情報としてサービス対象曲ＧＰが指定されているときには、そのサービス対象曲がコンテンツデータベース３２を参照して送信される。またサービスコンテンツを享受する資格があるときは、併せてサービスコンテンツもデータベース３２より読み出してユーザ側に送信される。
【００８３】
情報端末装置２０側では、受信した情報が鍵情報であるときには、この鍵情報をメモリ手段６３に保存して、この鍵情報を利用して光ディスク１０に記録された情報を復号する。記録された情報が音楽データであるときには、この鍵情報を利用して再生される。
【００８４】
情報端末装置２０側に装填された記録媒体が書き込み可能な記録媒体であるときには、受信した情報が記録媒体に記録すべき情報であるので、この場合には図１０に示す情報再生装置５０に代えて情報記録再生装置（図示はしない）を用意し、この情報記録再生装置を利用してダウンロードした情報を記録することになる。セキュリティーの関係でダウンロードした情報が暗号化されているときには、同時にこの情報を復号するための鍵情報を取得することになる。
【００８５】
なお、情報端末装置２０側からのアクセスを管理用サーバ３０側で管理することで、サービス回数を制限することもできる。
【００８６】
続いて、図１２以下を参照してより詳細に処理手順を説明する。説明の都合上、まず管理用サーバ３０側から図１２を参照して説明する。
【００８７】
管理用サーバ３０側ではまず光ディスク１０から読み出した媒体情報ＵＩＤを受信し、受信した媒体情報ＵＩＤと、管理用サーバ３０側の管理情報との認証処理を行う（ステップ７１）。つまり正規な媒体情報ＵＩＤであるかどうかを、媒体情報ＵＩＤに含まれるシリアル番号（媒体識別情報）を利用して検証する。認証できなかったときには再送を要求し、再度の認証処理を行う（ステップ７２，７３）。再度の認証処理でも媒体情報ＵＩＤを正規なものと判断できなかったときは、このサービス処理を停止する。このとき、認証できなかったためサービスを中止する旨のメッセージを送信してサービス処理を終了することもできる。
【００８８】
媒体情報ＵＩＤの認証が済むと、受信した媒体情報ＵＩＤを保存すると共に、その内容を解析する（ステップ７４）。解析の結果、まず再生可能タイトル情報（再生可能曲数）が確認されたときには（ステップ７５）、指定パターンに対応するプリペイド曲数用の鍵情報をデータベース３３より取得する（ステップ７６）。
【００８９】
次に、属性情報の有無をチェックし、属性情報が存在するときには、指定されたグループに属する対象曲ＧＰをプリペイド曲数分だけデータベース３２から取得し、これを一時的に保存する（ステップ７７，７８）。その他の属性情報も調べ、属性情報としてボーナスコンテンツがあるときには、ボーナスコンテンツとして指定されたコンテンツをデータベース３２から取得する（ステップ７９，８０）。
【００９０】
その後、これら取得情報に基づいて送信情報の作成が行われる（ステップ８１）。送信情報とは、上述したように鍵情報、指定されたグループに所属するダウンロードすべき情報、ボーナスコンテンツのうち、媒体情報によって指定された情報である。またこの例では情報を送信するに先立って、送信開始メッセージを送り、情報の送信が終了した段階で、送信終了メッセージを送るようにしている。これで、情報送信の開始と終了が明確になる。
【００９１】
図１３は情報端末装置２０側の処理例である。媒体情報ＵＩＤを送信した後で媒体情報ＵＩＤの再送要求があったときには、媒体情報ＵＩＤを再送する（ステップ９１，９２）。次に管理用サーバ３０側からの情報受信状態となり、情報が受信されたときには、まず送信開始メッセージを表示部２５に表示する（ステップ９３，９４）。その後受信情報が指定されたグループに所属するダウンロードすべき情報であるときには、その再生可能な情報（例えばプリペイド曲目）を表示し、これをメモリ手段６３に一時的に保存する（ステップ９５）。メモリ手段６３に保存した情報はその後に記録可能な記録媒体に記録される。
【００９２】
受信情報がボーナスコンテンツであるときには、その旨を表示してメモリ手段６３に保存する（ステップ９６）。保存したボーナスコンテンツを記録媒体に書き替えることも可能である。
【００９３】
受信情報が鍵情報であるときには、これをメモリ手段６３に保存する（ステップ９７，９８）。情報を再生するときにこの鍵情報が利用される。その後、送信終了メッセージを表示してサービス受信モードが終了する（ステップ９９）。
【００９４】
さて、記録可能なデータ記録媒体に上述した識別情報ＵＩＤを記録するにはＰＭＡエリア１８に通常の光源（レーザ光源）を利用して、上述したＴＯＣ情報の一部として記録することができる。そしてコンプリート処理あるいはファイナライズ処理をすることで、リードインエリア１６にＴＯＣ情報として記録することができる。ＴＯＣ情報の一部として記録するＰＭＡエリア１８は、ユーザ自身ではデータを記録できないが再生はできるエリアである。
【００９５】
また、この発明では図２に示すプレス加工されたデータ記録済みのデータ記録媒体でも、この媒体に上述した識別情報ＵＩＤを記録して使用することができる。この場合には所望とするデータが書き込まれたディスク原盤に、媒体情報ＵＩＤが例えば高出力レーザを使用して記録される。その記録方法の一例を図１４以下を参照して説明する。
【００９６】
図１４は媒体情報記録装置を含む光ディスク作成システムの一例を示す。この光ディスク作成システムは、光ディスクに記録する情報データの変調信号を生成して送出する変調信号送出装置１４０、変調信号に従って光ディスク原盤３２０を作成する光ディスク原盤記録装置であるレーザービーム・レコーダ６００、半製品の光ディスク３４０を成形する成形装置７００及び半製品の光ディスク３４０に追記を行なう追記装置２００から構成される。追記装置２００は上述した媒体情報を記録するための手段である。
【００９７】
変調信号送出装置１４０は、光ディスクに記録する情報データを読み込んで再生する記録情報再生手段１５０、再生された情報データを所定のフォーマットの変調信号データパターンに変換する変調情報生成手段１６０、変調信号データパターン情報を記憶する変調情報記憶手段１７０及び変調信号を出力する変調信号出力手段１８０から構成される。
【００９８】
記録情報再生手段１５０は、マスターの光ディスク３１０に記録された所定の情報データを全領域にわたって順次再生し、変調情報生成手段１６０へ送る。マスターの光ディスク３１０は、ＣＤ−Ｒ等のマスターメディア（情報源）であり、光ディスク原盤３２０に記録する所定の情報データが記録されている。所定の情報データは、音楽データ、映像データ、あるいは、プログラム等の任意の情報データである。
【００９９】
変調情報生成手段１６０は、再生された情報データを予め決められた所定のフォーマットの変調信号データパターンに変換し、生成された変調信号データパターンを変調情報記憶手段１７０に記憶するとともに変調信号出力手段１８０に出力する。変調信号データパターンは、所定のフォーマットにより変換された１／０のビットパターンにより構成される。また、変調時には必要に応じて、追記を行なう領域の指定等の追記に関する追記関連情報４１０を参照する。
【０１００】
変調情報記憶手段１７０は、変調情報生成手段１６０により生成された変調信号データパターンを記憶する。変調信号出力手段１８０は、変調情報生成手段１６０の生成した変調信号データパターンを入力し、１／０のビットパターンを所定のクロックで出力することにより変調信号を生成し、レーザービーム・レコーダ６００へ出力する。
【０１０１】
レーザービーム・レコーダ６００は、変調信号送出装置１４０から入力する変調信号に基づいてレーザー光を照射して光ディスク原盤３２０にカッティングを施し、情報データを記録する。この光ディスク原盤３２０に基づき、スタンパー３３０が製作される。
【０１０２】
成形装置７００は、このスタンパー３３０を用いて情報データが記録された記録済み光ディスクである半製品の光ディスク３４０を複製する。半製品の光ディスク３４０は、このように情報データは記録済みであるが、追記情報がまだ記録されていない状態の光ディスクを表すとする。
【０１０３】
追記装置２００は、追記関連情報４１０あるいは変調信号データパターンを記憶する変調情報記憶手段２１０、追記の制御を行なう追記制御手段２２０及び追記制御手段２２０に従って半製品の光ディスク３４０に追記を施す追記手段２３０から構成される。
【０１０４】
変調情報記憶手段２１０は、変調信号送出装置１４０の用いた追記関連情報４１０、あるいは変調信号送出装置１４０により生成された変調信号データパターンを記憶する記憶手段である。追記制御手段２２０は、追記関連情報４１０あるいは変調信号データパターンに基づいて、追記情報４２０を記録する領域を算出するとともに、この領域に目盛り手段に記憶された追記情報４２０を追記する制御を行なう。
【０１０５】
追記手段２３０は、高出力のレーザ（図示はしない）を装備し、追記制御手段２２０に従って、半製品の光ディスク３４０に、メモリ手段に格納された光ディスク固有の媒体情報である追記情報４２０を高出力レーザを用いて記録し、追記情報４２０が記録された製品の光ディスク３５０を生成する。この光ディスク３５０が上述した媒体情報ＵＩＤが記録されたデータ記録媒体１０を指す。
【０１０６】
追記装置２００では、変調情報記憶手段１７０に予め変調信号送出装置１４０の用いた追記関連情報４１０、あるいは変調信号データパターンが記憶されている。追記制御手段２２０は、追記関連情報４１０あるいは変調信号データパターンに基づいて、追記情報４２０を記録する領域を算出し、この領域に追記情報４２０を追記するように追記手段２３０を制御する。追記手段２３０は、追記制御手段２２０に従って、追記情報４２０を半製品の光ディスク３４０に記録し、製品の光ディスク３５０を製作する。
【０１０７】
追記情報記録手法としては、変調信号送出装置において情報データの変調時に変調信号の任意の区間に無変調区間を設けた変調信号を生成して半製品の光ディスクを製作し、追記装置において無変調区間に追記情報を記録して製品の光ディスクを製作する方法がある。
【０１０８】
図１５にその一例を示す。変調信号送出装置１４０では、変調信号データパターン（以下、ＥＦＭデータパターンとする）に挿入する無変調区間に関する情報を追記関連情報４１０より取得する。ＥＦＭデータパターンのどこに無変調区間を挿入するか、あるいは、無変調区間をいくつ挿入するかということは任意であり、特定はされない。ただし、無変調区間が挿入された半製品の光ディスク３４０がトラッキングサーボできる程度、すなわち連続した無変調区間がトラッキングサーボの帯域以下となるように設定する。このトラッキングの方法は、特に限定されない。図１５の例では、サブコーディング部を無変調区間としている。無変調区間は、同期パターンを除くサブコーディング部、情報データが挿入されるデータ部の任意の箇所に設けることができる。また、ある一定間隔、あるいはランダムな間隔で無変調区間を複数設けるとしてもよい。
【０１０９】
変調情報生成手段１６０は、このような追記関連情報４１０に従って、ＥＦＭデータパターンの一部に無変調区間を設けた変調信号（以下、ＥＦＭ信号とする）を生成し、レーザービーム・レコーダ６００へ出力する。レーザービーム・レコーダ６００へ出力するＥＦＭ信号、すなわち、光ディスク原盤３２０に記録されるＥＦＭ信号の波形は、サブコーディング部の信号レベルが０となる。これに応じて製作される半製品の光ディスク３４０は、無変調区間であるサブコーディング部にピットが存在しない。
【０１１０】
追記装置２００では、追記関連情報４１０を取得して変調情報記憶手段２１０に記憶しておく。追記制御手段２２０は、追記情報４２０にＥＦＭ変調を施し、そのＥＦＭ信号がサブコーディング部に相当する区間に記録されるように、高出力のレーザーを発する追記手段２３０を制御して、サブコーディング部にピットを形成する。図１５の斜線で表されたピットが追記情報により形成されたピットである。追記装置２００により追記が行なわれた製品の光ディスク３５０は、サブコーディング部に相当する区間に追記情報４２０の変調信号が記録されている。
【０１１１】
このようにして、情報データの変調信号が記録された半製品の光ディスクに、同一の変調方式で変調された追記情報を記録する。追記情報としてディスク１枚ごとに異なったデータを記録することにより、光ディスクの個別情報として読み出すことが可能となる。また、追記が行なわれた製品の光ディスクは、従来のＥＦＭ変調に対応する再生機において、情報データの変調信号とともに追記情報の変調信号を再生することができる。このように、個別識別情報読み出しのための特殊な回路を再生機に設ける必要なく、個別識別情報を再生することができる。
【０１１２】
記録済みのデータ記録媒体に対して媒体情報などの追記情報を記録手法としては、上述した例の他に、変調信号送出装置において情報データを変調したＥＦＭ信号を生成して半製品の光ディスクを製作し、追記装置において変調信号送出装置が生成したＥＦＭデータパターンを参照して任意の区間に追記情報を記録して製品の光ディスクを製作する方法などが考えられるが、その詳細な説明は割愛する。
【０１１３】
【発明の効果】
以上説明したように、この発明に係るデータ記録媒体は、記録済み媒体、記録可能媒体を問わず、所定のエリアに媒体識別情報のみならず、これに加えて記録媒体に関連した関連情報を含む媒体情報を記録したものである。この関連情報を記録することで様々なサービス形態を実現できる。例えばデータ記録媒体に記録された情報のうち、ユーザ好みの情報のみを取捨選択して、カスタマイズ化されたデータ記録媒体とすることもできれば、管理用サーバからの鍵情報を取得することでセキュリティーが高く、不正コピーしにくいデータ記録媒体を実現したり、特典付きのデータ記録媒体を提供できる。
【０１１４】
この発明に係る媒体情報記録方法および記録装置は、データの読み出しはできるが、再記録（再書き込み）ができないデータ記録媒体のエリアに媒体情報を記録したものである。これによれば、記録された媒体情報を再書き込みしたり、コピーすることができないので、媒体情報の改ざんを防止できる特徴を有する。
【０１１５】
この発明に係る媒体情報の再生方法および再生装置は、再生された情報よりＴＯＣ情報に基づいて複数の媒体情報を抽出分離し、これを保存し、必要なタイミングに読み出して使用できるようにしたものである。
【０１１６】
これによれば、ＴＯＣ情報を利用して媒体情報を簡単に抽出分離できる特徴を有する。そして、この媒体情報を管理用サーバに蓄積されたサービスを受けるための情報として利用するときには、媒体情報だけでサービス形態を管理できるので便利である。
【０１１７】
またこの発明に係る情報サービス方法および情報サービスシステムは、媒体情報を有する情報端末装置と管理用サーバとを通信回線網で結ぶことで、媒体情報を用いた情報の授受を可能にしたものである。これによれば、媒体情報を用いてユーザの志望するサービスや、カスタマイズ化された異なるサービス提供をスムーズに実現できる特徴を有する。この場合、媒体情報はデータ記録媒体に記録された媒体情報であり、その管理は管理用サーバ側で行われるために、データ記録媒体を再生したりする情報端末装置には依存しないでサービスの管理を実現できる。
【０１１８】
このようにこの発明によれば、カスタマイズ化されたサービス管理などをデータ記録媒体に記録された複数の媒体情報のみで実現できる特徴を有する。
【図面の簡単な説明】
【図１】この発明に係る書き込み可能なデータ記録媒体の実施の形態を示す概念図である。
【図２】この発明に係る記録済みのデータ記録媒体の実施の形態を示す概念図である。
【図３】この発明に係るデータ記録媒体に記録される媒体情報を示す構成図である。
【図４】媒体情報のうち関連情報として再生可能なタイトル情報を鍵情報に関連させて説明した図である。
【図５】媒体情報のうち関連情報として属性情報とボーナスコンテンツ情報の関係を示す図である。
【図６】データ記録媒体の種別とコード情報との関係を示す図である。
【図７】この発明に係る情報サービスシステムの実施の形態を示す概念図である。
【図８】この発明に係る情報端末装置の実施の形態を示す要部の系統図である。
【図９】この発明に係る管理用サーバの実施の形態を示す要部の系統図である。
【図１０】この発明に係る媒体情報再生装置の他の実施の形態を示す要部の系統図である。
【図１１】情報端末装置と管理用サーバとのデータ処理例を示すフローチャートである。
【図１２】管理用サーバ側の処理例を示すフローチャートである。
【図１３】情報端末装置側の処理例を示すフローチャートである。
【図１４】記録済みデータ記録媒体に媒体情報を記録するときの媒体情報記録装置の実施の形態を示す系統図である。
【図１５】その動作説明に供する説明図である。
【符号の説明】
１０・・・光ディスク（データ記録媒体）、１４・・・プログラムエリア（主記録領域）、１６・・・リードインエリア、１８・・・プログラムメモリエリア（補助記録領域）、２０・・・情報端末装置、３０・・・管理用サーバ、４０・・・通信回路網、２４、３４・・・・送受信部、２５・・・表示部、５０・・・媒体情報端末装置、３２・・・・サービスコンテンツデータベース、３３・・・管理用データベース、６０・・・・ＴＯＣ情報抽出手段、６２・・・媒体情報抽出手段
【図１】
2004087063.tif 000003
【図２】
2004087063.tif 000004
【図３】
2004087063.tif 000005
【図４】
2004087063.tif 000006
【図５】
2004087063.tif 000007
【図６】
2004087063.tif 000008
【図７】
2004087063.tif 000009
【図８】
2004087063.tif 000010
【図９】
2004087063.tif 000011
【図１０】
2004087063.tif 000012
【図１１】
2004087063.tif 000013
【図１２】
2004087063.tif 000014
【図１３】
2004087063.tif 000015
【図１４】
2004087063.tif 000016
【図１５】
2004087063.tif 000017